(57)【要約】【課題】  電話機の接続可能なファクシミリ装置において、電話機が非接続の場合に確実な省エネ効果が得られるようにする。【解決手段】  呼出信号検出部３は回線１からの呼出信号を検出する。ファクシミリ通信制御部５は呼出信号に基づき動作開始して回線１との間でファクシミリ送受信を制御する。電話機入出力部９は切換部１１および電話機検出部１３を介して電話機１５を接続する。切換部１１はファクシミリ制御部の制御によって電話機１５を電話回線１と電話機入出力部９との間で選択的に切換える。電話機検出部１３は電話機１５の接続有無無を検出する。ファクシミリ通信制御部５は電話機１５の非接続が検出されたとき、電話機入出力部９における電話機１５との動作を停止制御する。【選択図】  図１
2008277949.tif 000002
【特許請求の範囲】
【請求項１】
回線からの呼出信号を検出する呼出信号検出部と、
検出された前記呼出信号に基づき動作開始し前記回線との間でファクシミリ受信を制御するファクシミリ通信制御部と、
接続される電話機との間で入出力動作をする電話機入出力部と、
この電話機入出力部と前記電話機との間に挿入され前記ファクシミリ制御部の制御によって前記電話機を前記回線と電話機入出力部との間で選択的に切換え接続する切換部と、
前記電話機入出力部に対する前記電話機の接続有無を検出する電話機検出部と、
を具備するファクシミリ装置であって、
前記ファクシミリ通信制御部は、前記電話機検出部が前記電話機の非接続を検出したとき、前記電話機入出力部における前記電話機との動作を停止制御することを特徴とするファクシミリ装置。
【請求項２】
前記ファクシミリ通信制御部は、前記呼出信号検出部による呼出信号検出時に、前記電話機検出部が前記電話機の非接続を検出したとき、前記電話機入出力部における前記電話機との動作を停止制御する請求項１記載のファクシミリ装置。
【請求項３】
前記電話機検出部は、前記電話機入出力部と電話機間を流れる信号の有無を検出して前記電話機の接続有無を検出する請求項１又は２記載のファクシミリ装置。
【請求項４】
前記電話機検出部は、前記電話機入出力部に対する前記電話機の接続開始を検出する請求項１〜３いずれか１記載のファクシミリ装置。
【請求項５】
前記電話機の接続、非接続を登録する操作部を有し、前記ファクシミリ通信制御部は、前記非接続が登録されたとき前記電話機入出力部における前記電話機との動作を停止制御する請求項１又は２記載のファクシミリ装置。
【発明の詳細な説明】
【技術分野】
【０００１】
本発明はファクシミリ装置に係り、特に電話機の接続が可能で省エネルギーモード（省エネモード）を有するファクシミリ装置の改良に関する。
【背景技術】
【０００２】
近年、ファクシミリ装置では、例えば待機時に必要最小限の回路に電力を供給するとともにそれ以外の回路には電力の供給を止める省エネモードに移行し、呼出信号の検出、原稿台への原稿のセット、特定キーの押下により省エネモードを解除する構成を有するものが提案されている。
【０００３】
例えば、特開２００３−３２３９８号公報（特許文献１）に示すファクシミリ装置もこの種のものである。
【０００４】
すなわち、この特許文献１は、呼出信号を検出して省エネモードから解除する手段と、電話機の接続有無を検出する手段とを有し、電話機の接続有無に基づいて、呼出信号の検出に基づき省エネモードからの解除条件を変更可能に構成し、電話機接続有無に基づいて省エネモードからの解除を迅速に行えるようにしたものである。
【特許文献１】特開２００３−３２３９８号公報
【発明の開示】
【発明が解決しようとする課題】
【０００５】
しかしながら、上述した特許文献１では、電話機の接続有無にかかわらず１〜２回の呼出信号の検出後すぐに省エネモードを解除するから、電話機が接続されていない場合でも電話機を動作させる回路が働いて省エネモードの効果が生かされず、省エネモードの効果を確保するには改善の余地がある。
【０００６】
すなわち、電話機が接続されたファクシミリ装置では、ファクシミリ装置本体側から電話機側に電源を供給したり、呼出信号の着信を知らせる信号を出力したり、電話機のオフフックを検出する回路が動作して電力を消費していた。
【０００７】
本発明はそのような課題を解決するためになされたもので、電話機の接続可能なファクシミリ装置において、電話機が非接続の場合でも確実な省エネ効果の得られるファクシミリ装置の提供を目的とする。
【課題を解決するための手段】
【０００８】
そのような課題を解決するために本発明に係るファクシミリ装置は、回線からの呼出信号を検出する呼出信号検出部と、検出されたその呼出信号に基づき動作を開始して回線との間でファクシミリ受信を制御するファクシミリ通信制御部と、電話機が接続される電話機入出力部と、この電話機入出力部と電話機との間に挿入されファクシミリ制御部の制御によって電話機をそれら回線と電話機入出力部との間で選択的に切換え接続する切換部と、その電話機入出力部に対する電話機の接続有無を検出する電話機検出部とを具備し、その電話機検出部が電話機の非接続を検出したとき、上記ファクシミリ通信制御部が電話機入出力部における電話機との動作を停止制御する構成を有している。
【０００９】
本発明のファクシミリ装置では、呼出信号検出部による呼出信号検出時に電話機検出部が電話機の非接続を検出するとき、上記ファクシミリ通信制御部が電話機入出力部における電話機との動作を停止制御する構成も可能である。
【００１０】
本発明のファクシミリ装置では、上記電話機検出部が、それら電話機入出力部と電話機間を流れる信号の有無を検出して電話機の接続有無を検出する構成も可能である。
【００１１】
本発明のファクシミリ装置では、上記電話機検出部が電話機入出力部に対する電話機の接続開始を検出する構成も可能である。
【００１２】
本発明のファクシミリ装置では、上記電話機の接続、非接続を登録する操作部を有し、その非接続が登録されたとき上記ファクシミリ通信制御部が電話機入出力部における電話機との動作を停止制御する構成も可能である。
【発明の効果】
【００１３】
このような本発明に係るファクシミリ装置、回線からの呼出信号を呼出信号検出部が検出し、検出されたその呼出信号に基づきファクシミリ通信制御部が回線との間でファクシミリ受信の制御を開始し、電話機が接続される電話機入出力部と電話機の間に挿入された切換部をファクシミリ制御部の制御によって電話機をそれら回線と電話機入出力部との間で選択的に切換え、その電話機入出力部に対する電話機の接続有無を電話機検出部で検出するとともに、その電話機検出部が電話機の非接続を検出したとき、上記ファクシミリ通信制御部が電話機入出力部における電話機との動作を停止制御するから、電話機が非接続であれば電話機入出力部の動作が停止され、電話機が非接続の場合に確実な省エネ効果が得られる。
【００１４】
本発明のファクシミリ装置において、呼出信号検出部による呼出信号検出時に電話機検出部が電話機の非接続を検出したとき、上記ファクシミリ通信制御部が電話機入出力部における電話機との動作を停止制御する構成では、特に、呼出信号の着信後における確実な省エネ効果が得られる。
【００１５】
本発明のファクシミリ装置において、上記電話機検出部が、それら電話機入出力部と電話機間を流れる信号の有無を検出して電話機の接続有無を検出する構成では、上記電話機検出部をそれら電話機入出力部と電話機間に挿入するだけで検出可能であるから、構成が簡単である。
【００１６】
本発明のファクシミリ装置において、上記電話機検出部が電話機入出力部に対する電話機の接続開始を検出する構成では、動作途中で物理的に電話機が接続された場合でもその検出が可能である。
【００１７】
本発明のファクシミリ装置において、上記電話機の接続、非接続を登録する操作部を有し、その非接続が登録されたとき上記ファクシミリ通信制御部が電話機入出力部における電話機との動作を停止制御する構成では、ユーザの操作によっても省エネ効果を制御可能である。
【発明を実施するための最良の形態】
【００１８】
以下、本発明の実施の形態を図面を参照して説明する。
【００１９】
図１は本発明に係るファクシミリ装置の実施の一形態を示す概略ブロック図である。
【００２０】
図１において、電話回線１は、公衆回線又は専用回線等の従来公知の通信回線であり、本発明に係るファクシミリ装置の主要部をなす呼出信号検出部３およびファクシミリ通信制御部５に接続されている。なお、ファクシミリ通信制御部５は図においてＦＡＸ通信制御部と略称する。
【００２１】
呼出信号検出部３は、図示しない発呼側から電話回線１を介して伝送された呼出信号を検出してファクシミリ通信制御部５に出力する公知の回路である。
【００２２】
ファクシミリ通信制御部５は、ＣＰＵ、このＣＰＵの動作プログラムを格納したＲＯＭ、入出力インターフェース部を有して形成されており、呼出信号検出部３による呼出信号に基づいて動作開始し、その後のファクシミリ通信の送受信を制御するものであり、操作部７、電話機入出力部９に接続されている。
【００２３】
ファクシミリ通信制御部５は、ファクシミリ送受信を行うためのファクシミリ信号復号化部、ファクシミリ信号符号化部、ファクシミリ送信原稿読取部、ファクシミリ受信画像印刷部等にも接続されてそれらを制御するが、本発明の要部ではないから説明および図示を省略する。ファクシミリ通信制御部５のその他の機能は後述する。
【００２４】
操作部７は、ファクシミリ送受信を行うための送受信指示、種々の動作設定、例えば通信相手先電話番号等の設定入力を受付けるキーボードスイッチ等である。
【００２５】
操作部７は、後述する電話機１５の電話機入出力部９に対する接続、非接続の設定登録を受け付ける機能も有している。
【００２６】
電話機入出力部９は、これに接続された電話機１５に対して直流駆動電源を供給したり、ファクシミリ通信制御部５からの起動制御信号によって着信信号を電話機１５に出力したり、電話機１５のオフフックを検出し、このオフフック検出信号等をファクシミリ通信制御部５に出力する機能を有している。
【００２７】
電話機入出力部９と電話機１５の間には、切換部１１および電話機検出部１３が挿入接続されている。
【００２８】
切換部１１は、可動接点側が電話回線１と電話機入出力部９に接続され、固定接点側が電話機検出部１３を介して電話機１５に接続された２回路２接点構成のリレー等の機械的スイッチ又は半導体スイッチ等の無接点スイッチであり、電話回線１と電話機入出力部９とを選択的に切換える機能を有し、待機時は可動接点が電話機入出力部９を選択している。
【００２９】
切換部１１は、電話機入出力部９からのオフフック検出信号に基づきファクシミリ通信制御部５により、可動接点が電話機入出力部９から電話回線１に切換え制御されるようになっており、その検出信号の遮断によって可動接点が電話機入出力部９に戻るようになっている。
【００３０】
電話機検出部１３は、電話機入出力部９に対する電話機１５の接続の有無を検出するもので、図２に示すように、一方の回線に挿入された双方向性発光ダイオード１７ａと、所定の電源Ｖｃｃに一端が接続された抵抗Ｒとアース間に挿入された受光トランジスタ１７ｂからなるフォトカプラ１７で形成されている。
【００３１】
電話機入出力部９と電話機１５の間に信号が流れると、発光ダイオード１７ａが発光して受光トランジスタ１７ｂで受光され、電源Ｖｃｃから抵抗Ｒおよび受光トランジスタ１７ｂを介して電流がアースに流れて抵抗Ｒの他端の電圧ＶｏｕｔがＨレベルからＬレベルに低下し、電話機１５の接続状態の検出が可能である。
【００３２】
そのため、他端の電圧Ｖｏｕｔのレベルがファクシミリ通信制御部５で検知され、電話機入出力部９と電話機１５間に流れる電流の有無による電話機検出部１３の動作を介して、電話機１５の接続有無がファクシミリ通信制御部５にて検出される。
【００３３】
電話機検出部１３は、電話機１５が接続されない状態から物理的に接続されると、電話機入出力部９と電話機１５の間に電流が流れるから、同様に、電話機１５の接続有無の検出が可能である。
【００３４】
電話機検出部１３に接続された電話機１５は、従来公知の通話用のものであるから、詳細な説明は省略する。
【００３５】
ファクシミリ通信制御部５は、呼出信号検出部３が呼出信号を検出した状態において、電話機検出部１３が電話機１５の非接続を検出したとき、電話機入出力部９を制御し、電話機入出力部９における電話機１５に対する動作、例えば電話機１５に対する直流駆動電源の供給、着信信号の電話機１５への出力、又は電話機１５のオフフック検出動作を停止制御する機能を有している。
【００３６】
ファクシミリ通信制御部５は、電話機検出部１３が電話機入出力部９に対する電話機１５の接続開始を検出したとき、電話機入出力部９におけるそれら動作停止を解除制御する機能も有している。
【００３７】
電話機入出力部９におけるそれら動作停止の解除は、電話機１５の接続開始の検出の他、例えば呼出信号の検出期間の経過によって自動的に解除する構成も可能である。
【００３８】
さらに、ファクシミリ通信制御部５は、上述した操作部７から電話機１５の非接続が登録されたとき、電話機入出力部９におけるそれら動作を停止制御する機能も有している。
【００３９】
次に、本発明に係るファクシミリ装置の動作を図３のフローチャートを参照して説明する。
【００４０】
プログラムが開始されると、ステップＳ１で呼出信号の検出処理が行われて検出するまでステップＳ１を繰返し、呼出信号が受信されてステップＳ１がＹＥＳになると、ステップＳ２で電話機１５の接続有無が判別される。
【００４１】
電話機１５の接続が検出されてステップＳ２がＹＥＳであれば、ステップＳ３にて電話機入出力部９を動作処理が行われてステップＳ４に移る。
【００４２】
電話機１５の接続が検出されないでステップＳ２がＮＯであれば、ステップＳ５にて電話機入出力部９の動作を停止状態にしてステップＳ４に移り、ステップＳ４にて呼出信号との動作、例えばファクシミリ通信処理が実行される。
【００４３】
また、本発明のファクシミリ装置において、途中で電話機１５が電話機入出力部９を介して電話機入出力部９に物理的に接続される動作を、図４Ａのフローチャートを参照して説明する。
【００４４】
この動作は、ステップＳ１０にて電話機１５の接続有無が判別され、非検出であれば検出するまでステップＳ１０を繰返し、電話機１５の接続が検出されてステップＳ１０がＹＥＳであれば、ステップＳ１１にて電話機入出力部９を動作させて電話機１５のオフフック検出処理が行われる。
【００４５】
さらに、本発明のファクシミリ装置において、電話機１５の接続および非接続を登録する動作を図４Ｂのフローチャートを参照して説明する。
【００４６】
この動作は、ステップＳ２０にて操作部７への設定入力の有無が判別され、電話機１５の接続が登録されたときには、ステップＳ２１にて電話機入出力部９の動作処理が行われ、非接続が登録されればステップＳ２２にて電話機入出力部９の動作を停止状態にする処理が行われる。
【００４７】
このように本発明のファクシミリ装置では、電話回線１からの呼出信号を検出する呼出信号検出部３と、検出された呼出信号に基づき動作開始して回線との間でファクシミリ送受信を制御するファクシミリ通信制御部５と、電話機１５が接続される電話機入出力部９と、この電話機入出力部９と電話機１５の間に挿入されファクシミリ制御部の制御によって電話機１５を電話回線１と電話機入出力部９との間で選択的に切換え接続する切換部１１と、その電話機入出力部９と電話機１５間を流れる信号を検出して電話機１５の接続有無を検出する電話機検出部１３とを具備し、電話機検出部１３が電話機１５の非接続を検出したとき、ファクシミリ通信制御部５が電話機入出力部９における電話機１５との動作を停止制御する構成を有している。
【００４８】
そのため、電話機１５が電話機入出力部９に対して非接続であれば電話機入出力部９の動作が停止され、電話機１５が非接続の場合に確実な省エネ効果が得られる利点があるし、それら電話機入出力部９と電話機１５間の信号を検出するだけで電話機１５の接続、非接続が検出され、構成も簡単である。
【００４９】
しかも、呼出信号検出部３による呼出信号検出時に電話機検出部１３が電話機１５の接続、非接続を検出するから、特に、呼出信号の着信後における確実な省エネ効果が得られる。
【００５０】
さらに、動作途中で物理的に電話機１５が接続された場合でも、電話機検出部１３がそれを検出可能であるから、この検出を利用して電話機入出力部９における電話機１５との動作停止を解除可能となる。
【００５１】
さらにまた、操作部７にて電話機１５の接続、非接続を登録可能であるから、ユーザの操作によっても省エネ効果を制御可能となる利点がある。
【００５２】
ところで、上述した電話機入出力部９は、電話機１５に対する直流駆動電源を供給、着信信号の電話機１５の出力、電話機１５のオフフック検出等に限らず、電話機１５との間で何らかの信号の入力又は出力動作を行う機能を有する回路であれば本発明の目的達成が可能である。
【図面の簡単な説明】
【００５３】
【図１】本発明に係るファクシミリ装置の実施の一形態を示す概略ブロック図である。
【図２】図１のファクシミリ装置の電話機検出部の一例を示す回路図である。
【図３】本発明のファクシミリ装置の動作を説明するフローチャートである。
【図４】本発明のファクシミリ装置の動作を説明するフローチャートである。
【符号の説明】
【００５４】
１  回線（電話回線）
３  呼出信号検出部
５  ファクシミリ通信制御部
７  操作部
９  電話機入出力部
１１  切換部
１３  電話機検出部
１５  電話機
１７  フォトカプラ
１７ａ  発光ダイオード
１７ｂ  受光トランジスタ
【図１】
2008277949.tif 000003
【図２】
2008277949.tif 000004
【図３】
2008277949.tif 000005
【図４】
2008277949.tif 000006